(57)【要約】  本発明は、カスタマイズされた映像記録編集を作成する方法及びシステムに関する。本発明は、第１記憶媒体に記録された映像セグメントの少なくとも一部をリストしたメニューを提供するステップと、ユーザに前記メニューから少なくとも１つの映像セグメントを選ぶよう促すステップと、少なくとも１つの編集を作成するため、前記ユーザにより選ばれた各映像セグメントを編集するステップと、前記編集を前記メニューの新しいアイテムとして挿入するステップとから構成される。本方法はまた、前記編集の映像セグメントを前記第１記憶媒体から第２記憶媒体に転送するステップを備えてもよい。本発明はまた、前記転送ステップの開始に続くユーザとのやり取りなく、前記編集の複数の映像セグメントを前記第１記憶媒体から第２記憶媒体に自動転送するステップを備えてもよい。
2005510973.tif 000002
【特許請求の範囲】
【請求項１】
カスタマイズされた映像記録編集を作成する方法であって、
第１記憶媒体に記録された映像セグメントの少なくとも一部の名前をリストしたメニューに前記第１記憶媒体からアクセスするステップと、
前記メニューをユーザに提供するステップと、
前記ユーザに前記メニューから複数の映像セグメントを名前により選ぶよう促すステップと、
少なくとも１つの編集を作成するため、前記ユーザにより選ばれた各映像セグメントを編集するステップと、
前記編集を前記メニューの新しいアイテムとして挿入し、前記メニューを前記第１記憶媒体に格納するステップとからなることを特徴とする方法。
【請求項２】
請求項１記載の方法であって、さらに、
前記編集の少なくとも１つの映像セグメントを前記第１記憶媒体から第２記憶媒体に転送するステップを有することを特徴とする方法。
【請求項３】
請求項１記載の方法であって、さらに、
前記ユーザに選ばれた各映像セグメントをある順序で配置するよう促すステップと、
カスタマイズされた視聴シーケンスを反映するため、前記順序で前記選ばれた映像セグメントを配置するステップとを有することを特徴とする方法。
【請求項４】
請求項１記載の方法であって、さらに、
前記ユーザからの１つの操作により、前記編集のすべての映像セグメントを前記第１記憶媒体から第２記憶媒体に自動転送するステップを有することを特徴とする方法。
【請求項５】
請求項１記載の方法であって、さらに、
前記ユーザに前記編集の識別子を作成するよう促すステップと、
前記識別子により前記編集を指定するステップとを有することを特徴とする方法。
【請求項６】
請求項２記載の方法であって、前記転送するステップは、さらに、
該転送ステップの開始に続くユーザとのやり取りなく、前記編集の複数の映像セグメントを前記第１記憶媒体から第２記憶媒体に自動転送するステップを有することを特徴とする方法。
【請求項７】
請求項６記載の方法であって、前記第１記憶媒体は、光ディスク媒体あるいは磁気ディスク媒体からなるグループから選ぶことができることを特徴とする方法。
【請求項８】
請求項６記載の方法であって、前記第２記憶媒体は、光ディスク媒体、磁気ディスク媒体、デジタルテープ媒体あるいはアナログテープ媒体からなるグループから選ぶことができることを特徴とする方法。
【請求項９】
請求項７記載の方法であって、前記第１記憶媒体は、ハードディスクドライブ（ＨＤＤ）であることを特徴とする方法。
【請求項１０】
請求項１記載の方法であって、前記促すステップは、ユーザに前記メニューから少なくとも２つの映像セグメントを選ぶよう促すステップを有することを特徴とする方法。
【請求項１１】
カスタマイズされた映像記録編集を作成する方法であって、
記憶媒体に記録された複数の映像セグメントの少なくとも一部のメニューに前記記憶媒体からアクセスするステップと、
各自が前記複数の映像セグメントの少なくとも一部と関連付けされたメニューアイテムのリストを名前により表示するステップと、
ユーザが選択可能な方法により、前記メニューアイテムのカスタマイズされたリストの作成を可能にするステップと、
少なくとも前記カスタマイズされた映像記録編集を前記リストの新しいメニューアイテムとして作成するため、前記カスタマイズされたリストから各映像セグメントを編集するステップと、
前記新しいメニューアイテムを前記メニューの一部として前記記憶媒体に格納するステップとからなることを特徴とする方法。
【請求項１２】
カスタマイズされた映像記録編集を作成するシステムであって、
第１記憶媒体に記録された映像セグメントの少なくとも一部を名前によりリストしたメニューと、
ユーザに前記メニューから少なくとも１つの映像セグメントを選ぶよう促し、少なくとも１つの編集を作成するため、前記ユーザにより選ばれた各映像セグメントを編集し、前記編集を前記メニューの新しいアイテムとして挿入し、前記新しいアイテムを含んだ前記メニューを前記第１記憶媒体に格納するようプログラムされたプロセッサとからなることを特徴とするシステム。
【請求項１３】
請求項１２記載のシステムであって、前記プロセッサは、さらに、前記編集の映像セグメントを前記第１記憶媒体から第２記憶媒体に転送するようプログラムされることを特徴とするシステム。
【請求項１４】
請求項１２記載のシステムであって、前記プロセッサは、さらに、前記ユーザに選ばれた各映像セグメントをある順序で配置するよう促し、カスタマイズされた視聴シーケンスを反映するため、前記順序で前記選ばれた映像セグメントを配置するようプログラムされることを特徴とするシステム。
【請求項１５】
請求項１２記載のシステムであって、前記プロセッサは、さらに、前記ユーザからの１つの操作により、前記編集のすべての映像セグメントを前記第１記憶媒体から第２記憶媒体に自動転送するようプログラムされることを特徴とするシステム。
【請求項１６】
請求項１２記載のシステムであって、前記プロセッサは、さらに、前記ユーザに前記編集の識別子を作成するよう促し、前記識別子により前記編集を指定するようプログラムされることを特徴とするシステム。
【請求項１７】
請求項１３記載のシステムであって、前記プロセッサは、さらに、前記転送ステップの開始に続くユーザとのやり取りなく、前記編集の複数の映像セグメントを前記第１記憶媒体から第２記憶媒体に自動転送するようプログラムされることを特徴とするシステム。
【請求項１８】
請求項１７記載のシステムであって、前記第１記憶媒体は、光ディスク媒体あるいは磁気ディスク媒体からなるグループから選ぶことができることを特徴とするシステム。
【請求項１９】
請求項１７記載のシステムであって、前記第２記憶媒体は、光ディスク媒体、磁気ディスク媒体、デジタルテープ媒体あるいはアナログテープ媒体からなるグループから選ぶことができることを特徴とするシステム。
【請求項２０】
請求項１８記載のシステムであって、前記第１記憶媒体は、ハードディスクドライブ（ＨＤＤ）であることを特徴とするシステム。
【請求項２１】
請求項１２記載のシステムであって、前記プロセッサは、さらに、ユーザに前記メニューから少なくとも２つの映像セグメントを選ぶよう促すようプログラムされることを特徴とするシステム。
【請求項２２】
カスタマイズされた映像記録編集を作成するシステムであって、
各自が名前によりリストされ、記憶媒体に記録された複数の映像セグメントの少なくとも一部と関連付けされたメニューアイテムのリストを表示するためのメニューと、
ユーザが選択可能な方法により、前記メニューアイテムのカスタマイズされたリストの作成を可能にし、少なくとも前記カスタマイズされた映像記録編集を前記リストの新しいメニューアイテムとして作成するため、前記カスタマイズされたリストから各映像セグメントを編集し、前記新しいメニューアイテムを含んだ前記メニューを前記記憶媒体に格納するようプログラムされたプロセッサとからなることを特徴とするシステム。
【発明の詳細な説明】
【発明の詳細な説明】
【０００１】
[発明の背景]
１．発明の技術分野
本発明は、一般に映像記録システムに関し、特に映像シーケンスを記録可能デジタルビデオディスク、ハードドライブや光ディスクのような記憶媒体に記録する映像記録システムに関する。
２．関連技術の説明
今日の市場において、消費者は映画やテレビ番組のようなマルチメディアデータを多くの記録可能記憶媒体に録画することができる。そのような媒体の例として、デジタルビデオディスク（ＤＶＤ）やハードディスクドライブ（ＨＤＤ）があげられる。技術の進歩により、ここ数年間でこれら装置の記憶容量は大容量化されてきている。たとえ映像が一般に大きな記憶領域を要したとしても、このように現在の記録可能記憶媒体は比較的大きな映像を記憶することができる。例えば、ＨＤＤの中には、３００時間以上の映像を記録できるものもある。
【０００２】
これら記憶媒体に記録可能な様々なプログラムが与えられると、消費者は限られた数の好みにあったプログラムのみを視聴したいと思うかもしれない。便利なように、多くの記録メディアは、その中に現在収められているプログラムをリストしたメニューを含んでいる。アクセスすると、消費者はこのメニューから所望のプログラムを選び、記憶媒体装置がその選択されたプログラムの再生を行うことができる。あるいは、消費者はこの選択された番組を現在それが収められている記憶媒体から他の記憶媒体に転送及びコピーすることができる。そのような転送プロセスは、消費者がもともとＨＤＤに記録された映像プログラムをＤＶＤプレーヤーで再生したい場合、あるいは消費者がこのプログラムのバックアップをとりたい場合、便利であるかもしれない。
【０００３】
しかしながら、これら従来の方法にはいくつかの重大な欠点がある。例えば、消費者が複数のプログラムを連続して視聴したい場合、１つのプログラムが終わると、消費者はメニューにアクセスして、新しいプログラムを選択しなければならない。消費者が他のプログラムの視聴を所望する度、このアクセス及び選択ステップが実行されなければならない。さらに、消費者が複数のプログラムをそれらが現在ある記憶媒体から他の記憶媒体に記録したい場合、新たなプログラムの記録が開始される度に、記録ステップの初期化が実行されねばならない。各記録シーケンスの初期化のためユーザはそこに居合わせねばならないので、このような手法は不便である。以上より、コストやシステムの複雑さを大きくすることなくこれらの制約を解決することができる映像記録編集方法及びシステムが必要とされる。
[発明の概要]
本発明は、カスタマイズされた映像記録編集作成方法に関する。本方法は、第１記憶媒体に記録された映像セグメントの少なくとも一部をリストしたメニューを提供するステップと、ユーザに前記メニューから少なくとも１つの映像セグメントを選ぶよう促すステップと、少なくとも１つの編集を作成するため、前記ユーザにより選ばれた各映像セグメントを編集するステップと、前記編集を前記メニューの新しいアイテムとして挿入するステップとから構成される。本方法はまた、前記編集の映像セグメントを前記第１記憶媒体から第２記憶媒体に転送するステップを備えてもよい。
【０００４】
一実施例において、本方法はさらに、前記ユーザに選択した各映像セグメントをある順序で順序付けするよう促すステップと、カスタマイズされた視聴シーケンスを反映するため、前記順序で前記選択された映像セグメントを配置するステップとを備えてもよい。他の特徴として、本発明は、前記ユーザからの１つの操作により、前記編集のすべての映像セグメントを前記第１記憶媒体から第２記憶媒体に自動転送するステップと、前記ユーザに前記編集の識別子を作成するよう促すステップと、前記識別子により前記編集を指定するステップとを備えてもよい。
【０００５】
他の実施例では、前記転送するステップは、さらに、該転送ステップの開始に続くユーザとのやり取りなく、前記編集の複数の映像セグメントを前記第１記憶媒体から第２記憶媒体に自動転送するステップを備えてもよい。さらに、前記第１記憶媒体は、光ディスク媒体または磁気ディスク媒体からなるグループから選ばれてもよい。他の特徴として、前記第２記憶媒体は、光ディスク媒体、磁気ディスク媒体、デジタルテープ媒体またはアナログテープ媒体からなるグループから選ばれてもよい。一例として、前記第１記憶媒体は、ハードディスクドライブ（ＨＤＤ）であってもよい。また、前記促すステップは、前記ユーザに前記メニューから少なくとも２つの映像セグメントを選択するよう促すステップを備えてもよい。
【０００６】
本発明はまた、各自が記憶媒体に記録された複数の映像セグメントの少なくとも一部と関連付けされたメニューアイテムのリストを表示するステップと、ユーザによる選択が可能な方法により、前記メニューアイテムのカスタマイズされたリストの作成を可能にするステップと、前記カスタマイズされた映像記録編集を前記リストの新しいメニュ−アイテムとして作成するように、前期カスタマイズされたリストから各映像セグメントを編集するステップとを有するカスタマイズされた映像記録編集作成方法に関する。
【０００７】
本発明はまた、カスタマイズされた映像記録編集作成システムに関する。本システムは、第１記憶媒体に記録されている映像セグメントの少なくとも一部をリストするメニューと、ユーザに前記メニューから少なくとも１つの映像セグメントを選ぶよう促し、少なくとも１つの編集を作成するため、前記ユーザにより選ばれた各映像セグメントを編集し、前記編集を前記メニューの新しいアイテムとして挿入するようプログラミングされた映像プロセッサとを有する。本システムはまた、上述の方法を実現するための適当なソフトウェア及び回路を有する。
[好適実施例の詳細な説明]
本発明による様々な先進的な動作特徴を実現するシステム１００が、図１においてブロック図の形式で示される。しかしながら、本発明は、図１に示される特定のシステムに限定されるものではなく、デジタル符号化信号を受信し、当該信号を表示装置に転送することが可能な他のシステムにより実践することが可能である。さらに、システム１００は、任意のタイプの記憶媒体からのデータの読み出し、あるいはそれへのデータの書き込みに限定されるものでなく、アナログデータ及びデジタル符号化データの記憶媒体を含む様々な記憶媒体がシステム１００により利用可能である。
【０００８】
システム１００は、第１記憶媒体１１２からのデータの読み出し、及びそれへのデータの書き込みを行うためのコントローラ１１０を備える。第１記憶媒体１１２は、そこに記録された１以上の映像セグメントをリストした１以上のメニューを含んでもよい。システム１００はまた、マイクロプロセッサ１１４、デコーダ１１６、エンコーダ１１８及び表示装置１２０を備える。さらに、コントローラ１１０、マイクロプロセッサ１１４、及び場合によってはエンコーダ１１８のすべてあるいは一部が、本発明によるプロセッサ１２２に含まれる。同様に、コントローラ１１０、第１記憶媒体１１２、マイクロプロセッサ１１４、デコーダ１１６及びエンコーダ１１８のすべてあるいは一部が、本発明による第１記憶媒体装置１２４に含まれる。システム１００はまた、第２記憶媒体装置１２６を備える。
【０００９】
マイクロプロセッサ１１６によるコントローラ１１２、デコーダ１１６及びエンコーダ１１８の動作の制御を可能にするため、制御及びデータインタフェースが備えられる。マイクロプロセッサ１１４により実行される既存の動作のため、適切なソフトウェアまたはファームウェアがメモリに備えられる。さらに、プログラムルーチンが本発明によるマイクロプロセッサ１１４に備えられてもよい。
【００１０】
動作中、マイクロプロセッサ１１４により受け取られるユーザコマンドを通じて、ユーザは第１記憶媒体１１２からメニューにアクセスすることができる。このメニューは表示装置１２０に表示される。編集を行うため、ユーザはメニューから１以上の映像セグメントを選択する。コントローラ１１０と連動して、マイクロプロセッサ１１４は、この編集をメニューに挿入する。
【００１１】
一実施例において、この編集の少なくとも一部は、第１記憶媒体１１２から第２記憶媒体装置１２６に含まれる第２記憶媒体（図示せず）に記録される。第２記憶媒体がデジタル符号化された信号を受信可能である場合、マイクロプロセッサ１１４は１以上の映像セグメントを第１記憶媒体１１２から第２記憶媒体装置１２６の第２記憶媒体に転送するようコントローラ１１０に指示する。もし第２記憶媒体がアナログ記憶媒体である場合、デコーダ１１６及びエンコーダ１１８は、第２記憶媒体に転送される映像セグメントをアナログ信号に変換する。その後、マイクロプロセッサ１１４は、符号化された映像セグメントを第２記憶媒体装置１２６の第２記憶媒体に転送するようエンコーダ１１８に指示する。編集から複数の映像セグメントが転送される場合、この転送処理はユーザとのやりとりをほとんど要すことなく実行することができる。本発明の全体的動作が以下で詳細に説明される。
映像記録編集の生成
図２は、映像記録編集が生成される一例となる方法を示すフローチャート２００を示す。ステップ２１０において、プロセスは開始される。ステップ２１２において、第１記憶媒体に記録されている映像セグメントの少なくとも一部をリストしたメニューが提供される。映像セグメントという用語は、以前に記録した映像の任意の部分であり、完全な映画やテレビ番組のようなプログラムのユニット全体に必ずしも限定されるものではない。図３は、そのようなメニューの一例を示す。図示されるように、メニューは、映像セグメントの名前、作成日時、及び当該セグメントを録画したチャンネルをリストする。しかしながら、図３のメニューは単なる一例であり、他の適当な形式でアレンジされた他の適当なタイプの情報を含むものであってもよいということは理解されるであろう。
【００１２】
一実施例では、メニューにリストされた映像セグメントを記録する第１記録媒体は、光ディスク媒体、磁気ディスク媒体、あるいは他の任意の適当な記憶媒体であってもよい。一例として、第１記憶媒体はハードディスクドライブ（ＨＤＤ）であってもよい。
【００１３】
図２を再び参照するに、ステップ２１４において、ユーザはメニューから少なくとも１つの映像セグメントを選択するよう促される。図３に示されるように、このステップの一例がメニューの選択番号３（「編集作成」選択肢）に示される。図４は、映像記録編集を生成するため編集される所望の映像セグメントのユーザによる選択の一例を示す。図４はまた、他の２つの選択肢：（１）「順序編集」選択肢と、（２）「名前編集」選択肢を示す。ユーザが所望の映像セグメントを選択すると、順序編集選択肢の選択が可能となり、ユーザは（複数の映像セグメントがメニューから選択された場合）所望の視聴順序に映像セグメントを順序付けするよう促される。その後、カスタマイズされた視聴シーケンスを反映させるため、映像セグメントはこの順序で順序付けされる。このステップの一例が図５に示される。ユーザが特定の視聴順序を指定しない場合、視聴セグメントは、ランダムな視聴シーケンス、あるいは選択された各映像セグメントの録画日時による順序を含む任意の方式に基づくデフォルト視聴シーケンスで配置される。
【００１４】
他の実施例では、ユーザは名前編集選択肢を選び、当該編集の識別子を作成することができる。識別子が作成されると、編集はこの識別子により指定される。この識別処理の一例が図６に示される。順序編集選択と同様に、ユーザが識別子を作成しなければ、デフォルトの識別子が作成される。本発明は図４から６に示された例に限定されるものでなく、特定順序での選択及び配置のための他の手法、及び１以上の映像セグメントの識別のための他の手法の利用が可能であるということは理解されるであろう。さらに、本発明は順序編集及び名前編集オプションを備える必要はないということを述べることは重要であろう。
【００１５】
再びフローチャート２００を参照するに、判断ブロック２１６において、すべての選択肢が準備されると、ステップ２１８に示されるように、ユーザにより選ばれた各映像セグメントが少なくとも１つの編集を作成するよう編集される。ステップ２２０において、この編集が新しいアイテムとしてメニューに挿入される。図７は、新たに作成された編集が挿入されたメニューの一例を示す。ユーザは、特定の映像セグメント群を視聴するため、この新しく作成されたカスタマイズされた映像記録編集へのアクセスが可能となる。ユーザが所望すれば、これらの映像セグメントは所望の視聴順序に順序付けされ、識別子を通じて容易に配置することができる。ここで、「編集」は、本発明がそれに限定されるものではないが、各セグメントがすでに第１記憶媒体に記録されてから再び第１記憶媒体の選択された各映像セグメントの再記録を要するものではない。
【００１６】
他の実施例では、編集の１以上の映像セグメントが第１記憶媒体から第２記憶媒体に転送されてもよい。編集に複数の映像セグメントがある場合、あるいは編集のすべての映像セグメントが転送される場合、限定されたユーザとのやりとりでの転送ステップの実行が可能である。具体的には、判断ブロック２２２（移行ノード「Ａ」を介し）において、１以上の映像セグメントの転送が実行される場合、フローチャート２００は判断ブロック２２６に移行する。転送が行われない場合、フローチャートはステップ２２４において終了する。
【００１７】
判断ブロック２２６において、ユーザが１つのみの映像セグメントの転送を所望する場合、ステップ２２８に示されるように、映像セグメントは第１記憶媒体から第２記憶倍谷転送される。すなわち、ユーザは新たに作成された編集から映像セグメントの１つを選択し、この選択されたセグメントを別の記憶媒体に記録するため「転送オプション」（図示せず）を選ぶことができる。このような手法が有益なのは、ユーザが映像セグメントのバックアップの作成を所望する場合や、第１記憶媒体により大きな利用可能領域を設けたい場合である。第１記憶媒体と同様に、第２記憶媒体は光ディスク媒体や磁気ディスクであってもよい。第２記憶媒体はまた、デジタルテープ媒体やアナログテープ媒体であってもよい。
【００１８】
判断ブロック２２６を再び参照するに、ユーザが複数の映像セグメントの転送を所望する場合、フローチャート２００はステップ２３０に続く。ステップ２３０に示されるように、当該編集の複数の映像セグメントが、転送ステップの開始後ユーザとのやりとりなく、第１記憶媒体から第２記憶媒体に転送される。例えば、新たに作成された編集が５つの映像セグメントを含み、ユーザがこれら５つすべてを転送したい場合、ユーザは「転送オプション」（ステップ２２８と同様に）を選び、各映像セグメントを第２記憶媒体に自動転送することができる。一度開始されると、第１の映像セグメントの転送が第２の映像セグメントの転送を開始するため終了するまで、ユーザは待機する必要がない。すなわち、選択されたすべての映像セグメントの転送が、ユーザとのやりとりなく自動的に実行される。もちろん、本発明は上記実施例に限定されるものでなく、他の適当な個数の映像セグメントがステップ２３０において転送されてもよい。
【００１９】
他の実施例では、１以上の映像セグメントの転送は、以降の都合のよい時点で行われるようプログラミングされてもよい。前述の例を参照するに、編集を構成する５つの映像セグメントが予め指定された時点で転送できるように、ユーザが「後の転送」オプションを選択できるようにしてもよい。そのようなオプションは、他の視聴習慣に干渉することなく、ユーザによる大量の映像の自動転送を可能にする。
【００２０】
本発明はここで開示された実施例に関して説明されているが、前述の説明は例示のためのものであり、クレームにより定義される本発明の範囲を限定することを意図したものではない。
【図面の簡単な説明】
【００２１】
【図１】図１は、本発明の実施例による映像記録編集の作成と、ある記憶媒体から他の記憶媒体への記録の自動転送が可能なシステムのブロック図である。
【図２（ａ）】図２(ａ)は、本発明の実施例による映像記録編集の作成と、ある記憶媒体から他の記憶媒体への記録の自動転送のための処理を示すフローチャートである。
【図２（ｂ）】図２(ｂ)は、本発明の実施例による映像記録編集の作成と、ある記憶媒体から他の記憶媒体への記録の自動転送のための処理を示すフローチャートである。
【図３】図３は、本発明の実施例による記憶媒体に記録された映像セグメントを含むメニューの画面表示を示す。
【図４】図４は、本発明の実施例によるユーザ選択プロセスを示すメニューの画面表示を示す。
【図５】図５は、本発明の実施例による順序編集オプションを示す画面表示を示す。
【図６】図６は、本発明の実施例による名前編集オプションを示す画面表示を示す。
【図７】図７は、本発明の実施例による新たに作成された映像編集を含むメニューを示す。
【図１】
2005510973.tif 000003
【図２（ａ）】
2005510973.tif 000004
【図２（ｂ）】
2005510973.tif 000005
【図３】
2005510973.tif 000006
【図４】
2005510973.tif 000007
【図５】
2005510973.tif 000008
【図６】
2005510973.tif 000009
【図７】
2005510973.tif 000010
【国際調査報告】
2005510973.tif 000011
2005510973.tif 000012